(57)【要約】【課題】キャリッジを精度よく往復移動させることができる、インクジェット記録装置を提供する。【解決手段】インクジェット記録装置は、第一インクジェットヘッドと第二インクジェットヘッドとキャリッジと第一サブタンクと第二サブタンクと移動部と支持部と昇降部を備える。第一サブタンクは、キャリッジのベース部上で第一インクジェットヘッドより上方に設けられ、第二サブタンクは、ベース部上で第二インクジェットヘッドより上方に設けられる。移動部は、キャリッジを往復移動させる。支持部は、キャリッジと移動部を接続し、キャリッジが往復移動される主走査方向に往復移動する。昇降部は、ベース部より上方となる状態で支持部に設けられ、キャリッジを鉛直方向に移動させる。昇降部は、鉛直方向に沿った状態で設けられる昇降軸部を備え、昇降軸部が主走査方向において第一サブタンクと第二サブタンクの間に配置された状態でキャリッジと接続される。【選択図】図１
2018103434.tif 000002
【特許請求の範囲】
【請求項１】
記録媒体に第一インクを吐出する第一インクジェットヘッドと、
前記記録媒体に第二インクを吐出する第二インクジェットヘッドと、
前記第一インクジェットヘッドと前記第二インクジェットヘッドとが搭載されるベース部を備えるキャリッジと、
前記ベース部上で前記第一インクジェットヘッドより上方に設けられ、前記第一インクを貯留する第一メインタンクから供給され且つ前記第一インクジェットヘッドに供給される前記第一インクを貯留する第一サブタンクと、
前記ベース部上で前記第二インクジェットヘッドより上方に設けられ、前記第二インクを貯留する第二メインタンクから供給され且つ前記第二インクジェットヘッドに供給される前記第二インクを貯留する第二サブタンクと、
前記キャリッジを往復移動させる移動部と、
前記キャリッジと前記移動部とを接続し、前記移動部によって前記キャリッジが往復移動される主走査方向に前記キャリッジと共に往復移動する支持部と、
前記ベース部より上方となる状態で前記支持部に設けられ、前記キャリッジを鉛直方向に移動させる昇降部と、を備え、
前記昇降部は、
鉛直方向に沿った状態で設けられる昇降軸部を備え、
前記昇降軸部が前記主走査方向において前記第一サブタンクと前記第二サブタンクとの間に配置された状態で前記キャリッジと接続される、インクジェット記録装置。
【請求項２】
前記第一サブタンクは、前記ベース部上で前記第一インクジェットヘッドの上方に設けられ、
前記第二サブタンクは、前記ベース部上で前記第二インクジェットヘッドの上方に設けられる、請求項１に記載のインクジェット記録装置。
【請求項３】
前記支持部は、
前記移動部と接続される本体部と、
前記本体部に設けられた状態で前記キャリッジと接続され、前記昇降部による前記キャリッジの鉛直方向への移動をガイドするガイド部と、を備える、請求項１又は請求項２に記載のインクジェット記録装置。
【請求項４】
前記ガイド部は、
鉛直方向に沿った状態で前記本体部に設けられるガイドレールと、
前記キャリッジと接続され、前記ガイドレールと係合した状態で前記ガイドレールに沿って移動するブロックと、を備える、請求項３に記載のインクジェット記録装置。
【発明の詳細な説明】
【技術分野】
【０００１】
本発明は、インクジェット記録装置に関する。
【背景技術】
【０００２】
インクジェット記録装置に関する技術が提案されている。例えば、特許文献１には、インクジェットプリンタが開示されている。インクジェットプリンタは、装置本体と、送り出し機構と、巻き取り機構から構成される。装置本体には、キャリッジとキャリッジ移動機構が設けられる。キャリッジは、ガイドレールに移動自在に支持され、キャリッジ移動機構により駆動される。キャリッジには、シアン、マゼンタ、イエロー、ブラックに対応した４個のプリンタヘッドと４個のサブタンクが設けられる。キャリッジ移動機構は、駆動プーリ及び従動プーリと、キャリッジ駆動モータと、タイミングベルトから構成される。キャリッジは、タイミングベルトに連結固定される。キャリッジ駆動モータを回転駆動することで、ガイドレールに支持されたキャリッジは、プラテンの上方を左右に移動される。４個のサブタンクは、対応する色のプリンタヘッドに接続される。サブタンクには、ＵＶインクがメインタンクから供給される。
【０００３】
特許文献２には、インクジェット記録装置が開示されている。インクジェット記録装置は、ベルト搬送ユニットと、ヘッドユニットと、インク供給系を備える。ヘッドユニットには、４個の液滴吐出ヘッドがキャリッジ上に配列される。液滴吐出ヘッドは、ラインヘッドである。キャリッジ上には、４個の液滴吐出ヘッドに近接して、サブタンクが設けられる。サブタンクは、４個の液滴吐出ヘッドよりも上位となる位置に設けられる。サブタンク内には、インク供給系から供給されるインクが所定量貯留される。サブタンクは、４本のインク供給路により、各液滴吐出ヘッドにそれぞれ接続される。インク供給系は、インクタンクと、供給配管を有する。供給配管は、インク供給源であるインクタンクとサブタンクをインク供給可能に接続する。
【０００４】
出願人は、特許文献３で、インクジェット記録装置に関する技術を提案している。即ち、特許文献３では、インクジェット記録装置は、搬送部と、ヘッドキャリッジと、ヘッドキャリッジ移動部を備える。ヘッドキャリッジには、シアン、マゼンタ、イエロー、ブラックの記録ヘッドが取り付けられる。ヘッドキャリッジは、ヘッドキャリッジフレームに、第一ヘッドキャリッジ昇降用ボールねじと第二ヘッドキャリッジ昇降用ボールねじを介して取り付けられる。第一ヘッドキャリッジ昇降用ボールねじには、第一昇降用モータが連結される。第二ヘッドキャリッジ昇降用ボールねじには、第二昇降用モータが連結される。第一昇降用モータと第二昇降用モータが、一方側に回転したときヘッドキャリッジは上昇し、他方側に回転したときヘッドキャリッジは下降する。ヘッドキャリッジは、ガイドレールによって支持される。ガイドレールは、主走査方向に配置される。ヘッドキャリッジ移動部は、ヘッドキャリッジをガイドレールに沿って主走査方向に往復移動する。
【０００５】
この他、出願人は、特許文献４及び特許文献５でも、インクジェット記録装置に関する技術を提案している。特許文献４では、インクジェット記録装置は、記録部と、第二移動部を備え、特許文献５では、インクジェット記録装置は、記録部と、移動部を備える。記録部は、イエロー、マゼンタ、シアン、ブラックの各色のインクジェットヘッドを備え、各色のインクジェットヘッドは、キャリッジに搭載される。インクジェットヘッドは、ライン型のインクジェットヘッドである。第二移動部又は移動部は、記録部を鉛直方向に移動する。特許文献５では、インクジェット記録装置がシリアル型である場合、移動部は、省略される。
【先行技術文献】
【特許文献】
【０００６】
【特許文献１】特開２０１２−２１０８２４号公報
【特許文献２】特開２０１０−１５８７８３号公報
【特許文献３】特開２０１１−７３２７１号公報
【特許文献４】特開２０１３−２０８８７４号公報
【特許文献５】国際公開第２０１３／１６１６２２号
【発明の概要】
【発明が解決しようとする課題】
【０００７】
インクジェット記録装置は、記録媒体に所定の柄を高品質に記録することができる。インクジェット記録装置としては、柄の記録時、キャリッジを主走査方向に往復移動させるタイプのインクジェット記録装置が実用化されている。産業分野で利用されるインクジェット記録装置では、各種の記録媒体に所定の柄が記録される。記録媒体の厚みは一定ではなく、１台のインクジェット記録装置で、厚みの異なる複数種の記録媒体に対応しなければならない。そのため、産業分野で利用されるインクジェット記録装置では、昇降部が設けられることがある。昇降部は、キャリッジを鉛直方向に移動させる。これに伴い、インクジェット記録装置で記録媒体が載せ置かれる面と吐出面の間隔が調整される。この調整により、記録媒体の表面と吐出面の間隔が高品質な柄の記録に適したギャップとされる。キャリッジには、インクジェットヘッドが搭載される。吐出面は、インクを吐出するノズルが形成されたインクジェットヘッドの面である。産業分野で利用されるインクジェット記録装置では、インクジェットヘッドとキャリッジは、例えば、家庭用のインクジェット記録装置と比較すると極めて大きく、重量が重くなる。更に、キャリッジ上には、サブタンクが設けられる。サブタンクには、メインタンクから供給され且つインクジェットヘッドに供給されるインクが貯留される。
【０００８】
そのため、産業分野で利用されるインクジェット記録装置では、インクジェットヘッドとサブタンクが設けられたキャリッジを主走査方向に往復移動させた場合、例えば、キャリッジが、移動途中に振動し、又は偏揺れし易くなる。その結果、主走査方向へのキャリッジの移動精度が低下し、高品質な柄の記録が困難となることが想定される。
【０００９】
本発明は、キャリッジを精度よく往復移動させることができる、インクジェット記録装置を提供することを目的とする。
【課題を解決するための手段】
【００１０】
本発明の一側面は、記録媒体に第一インクを吐出する第一インクジェットヘッドと、前記記録媒体に第二インクを吐出する第二インクジェットヘッドと、前記第一インクジェットヘッドと前記第二インクジェットヘッドとが搭載されるベース部を備えるキャリッジと、前記ベース部上で前記第一インクジェットヘッドより上方に設けられ、前記第一インクを貯留する第一メインタンクから供給され且つ前記第一インクジェットヘッドに供給される前記第一インクを貯留する第一サブタンクと、前記ベース部上で前記第二インクジェットヘッドより上方に設けられ、前記第二インクを貯留する第二メインタンクから供給され且つ前記第二インクジェットヘッドに供給される前記第二インクを貯留する第二サブタンクと、前記キャリッジを往復移動させる移動部と、前記キャリッジと前記移動部とを接続し、前記移動部によって前記キャリッジが往復移動される主走査方向に前記キャリッジと共に往復移動する支持部と、前記ベース部より上方となる状態で前記支持部に設けられ、前記キャリッジを鉛直方向に移動させる昇降部と、を備え、前記昇降部は、鉛直方向に沿った状態で設けられる昇降軸部を備え、前記昇降軸部が前記主走査方向において前記第一サブタンクと前記第二サブタンクとの間に配置された状態で前記キャリッジと接続される、インクジェット記録装置である。
【００１１】
このインクジェット記録装置によれば、第一サブタンク及び第二サブタンクと昇降部を、主走査方向に直交する方向にコンパクトに配置することができる。キャリッジを主走査方向に直交する方向に小型化することができる。
【００１２】
インクジェット記録装置では、前記第一サブタンクは、前記ベース部上で前記第一インクジェットヘッドの上方に設けられ、前記第二サブタンクは、前記ベース部上で前記第二インクジェットヘッドの上方に設けられる、ようにしてもよい。この構成によれば、第一インクジェットヘッド及び第二インクジェットヘッドと第一サブタンク及び第二サブタンクと昇降部を、主走査方向に直交する方向にコンパクトに配置することができる。
【００１３】
インクジェット記録装置では、前記支持部は、前記移動部と接続される本体部と、前記本体部に設けられた状態で前記キャリッジと接続され、前記昇降部による前記キャリッジの鉛直方向への移動をガイドするガイド部と、を備える、ようにしてもよい。この場合、前記ガイド部は、鉛直方向に沿った状態で前記本体部に設けられるガイドレールと、前記キャリッジと接続され、前記ガイドレールと係合した状態で前記ガイドレールに沿って移動するブロックと、を備える、ようにしてもよい。この構成によれば、昇降部によるキャリッジの鉛直方向への移動をスムーズに行うことができる。
【発明の効果】
【００１４】
本発明によれば、キャリッジを精度よく往復移動させることができる、インクジェット記録装置を得ることができる。
【図面の簡単な説明】
【００１５】
【図１】インクジェット記録装置の概略構成の一例を示す斜視図である。
【図２】インクジェット記録装置の概略構成の一例を示す斜視図である。記録媒体の厚みに対応させてキャリッジを図１に示す鉛直方向の位置より上側に配置させた状態を示す。
【図３】搬送部の搬送面及び記録媒体の表面とインクジェットヘッドの吐出面の鉛直方向の位置関係を示す側面図である。第一状態のインクジェット記録装置の部分は、図１に示すインクジェット記録装置を主走査方向の第二側から第一側に視た状態に対応する。第二状態のインクジェット記録装置の部分は、図２に示すインクジェット記録装置を主走査方向の第二側から第一側に視た状態に対応する。インクジェット記録装置が備える各構成のうち、移動部を含む一部の構成の図示は、省略されている。
【図４】インクジェット記録装置の概略構成の他の例を一部の構成を省略して示す斜視図である。
【図５】インクジェット記録装置の概略構成の更に他の例を一部の構成を省略して示す斜視図である。
【発明を実施するための形態】
【００１６】
本発明を実施するための実施形態について、図面を用いて説明する。本発明は、以下に記載の構成に限定されるものではなく、同一の技術的思想において種々の構成を採用することができる。例えば、以下に示す構成の一部は、省略し又は他の構成等に置換してもよい。他の構成を含むようにしてもよい。
【００１７】
＜インクジェット記録装置＞
インクジェット記録装置１０について、図１〜図３を参照して説明する。インクジェット記録装置１０では、記録媒体１５が間欠的に搬送され、記録媒体１５に所定の柄が記録される。柄の記録は、種々の記録媒体１５に対し要求される。そのため、インクジェット記録装置１０には、例えば、種々の厚みの記録媒体１５に対応することが求められる。即ち、インクジェット記録装置１０は、厚みの異なる各種の記録媒体１５に所定の柄を記録することができる。記録媒体１５としては、布帛又は建築資材が例示される。実施形態では、記録媒体１５は、長尺とされている。記録媒体は、短尺であってもよい。柄の記録に用いられるインク色は、ブラック、マゼンタ、イエロー及びシアンの４色とする。インク色は、これら以外の色であってもよい。インク色数は、３色以下又は５色以上としてもよい。インクジェット記録装置１０は、搬送部２０と、インクジェットヘッド３０Ｋ，３０Ｍ，３０Ｙ，３０Ｃと、キャリッジ４０と、支持部５０と、メインタンク６０Ｋ，６０Ｍ，６０Ｙ，６０Ｃと、供給流路６１Ｋ，６１Ｍ，６１Ｙ，６１Ｃと、サブタンク６２Ｋ，６２Ｍ，６２Ｙ，６２Ｃと、接続流路６３Ｋ，６３Ｍ，６３Ｙ，６３Ｃと、移動部７０と、昇降部８０を備える。
【００１８】
搬送部２０は、記録媒体１５を搬送する。実施形態では、搬送部２０によって記録媒体１５が搬送される方向を、「搬送方向」という。インクジェット記録装置１０では、搬送部２０による記録媒体１５の搬送は、間欠的に行われる。搬送部２０は、ベルトコンベアである。搬送部２０は、一対の搬送ローラ２１，２２と、無端ベルト２３と、第一モータ２５を備える。搬送ローラ２１は、キャリッジ４０より搬送方向の下流側に設けられる。搬送ローラ２２は、キャリッジ４０より搬送方向の上流側に設けられる。無端ベルト２３は、環状のベルトである。無端ベルト２３は、搬送ローラ２１，２２に、張力が作用した状態で架け渡される。無端ベルト２３が搬送ローラ２１，２２に架け渡された状態で、搬送面２４は、搬送ローラ２１，２２の間で水平な状態となる。搬送面２４は、無端ベルト２３の外周面によって形成される。記録媒体１５は、搬送面２４に載せ置かれる。第一モータ２５は、搬送ローラ２１に連結される。第一モータ２５としては、例えば、エンコーダ付きのサーボモータが採用される。第一モータ２５は、搬送ローラ２１を搬送方向に対応する方向に回転させる。無端ベルト２３は、搬送ローラ２１の回転に伴い、搬送方向に対応する方向に回転する。搬送ローラ２２は、無端ベルト２３の回転に従動して搬送方向に対応する方向に回転する。図１及び図２で、搬送ローラ２１，２２の内部に示す矢印は、搬送ローラ２１，２２の回転方向を示す。
【００１９】
インクジェットヘッド３０Ｋは、ブラックインクを吐出するインクジェットヘッドである。インクジェットヘッド３０Ｍは、マゼンタインクを吐出するインクジェットヘッドである。インクジェットヘッド３０Ｙは、イエローインクを吐出するインクジェットヘッドである。インクジェットヘッド３０Ｃは、シアンインクを吐出するインクジェットヘッドである。インクジェットヘッド３０Ｋ，３０Ｍ，３０Ｙ，３０Ｃには、前述の色のインクを吐出するノズルが複数形成される。実施形態では、インクジェットヘッド３０Ｋ，３０Ｍ，３０Ｙ，３０Ｃでノズルが形成された各面を、「吐出面３１」という（図３参照）。吐出面３１は、インクジェットヘッド３０Ｋ，３０Ｍ，３０Ｙ，３０Ｃでノズルが形成された各面を総称し、又はインクジェットヘッド３０Ｋ，３０Ｍ，３０Ｙ，３０Ｃのうちの何れかのインクジェットヘッドでノズルが形成された面を示す。インクジェットヘッド３０Ｋ，３０Ｍ，３０Ｙ，３０Ｃによれば、記録媒体１５に、フルカラーの柄を記録することができる。図１及び図２で、インクジェットヘッド３０Ｋ，３０Ｍ，３０Ｙ，３０Ｃより搬送方向の下流側に図示された記録媒体１５の部分に付した模様は、記録媒体１５に記録された柄に対応する。
【００２０】
キャリッジ４０は、ベース部４１と、台座部４４と、２個の連結部４６を備える。ベース部４１と台座部４４と２個の連結部４６は、一体をなす。例えば、台座部４４と２個の連結部４６がベース部４１に固定される。キャリッジ４０では、ベース部４１に、インクジェットヘッド３０Ｋ，３０Ｍ，３０Ｙ，３０Ｃが主走査方向に隣り合った状態で搭載される。主走査方向は、無端ベルト２３の幅方向に一致し、搬送方向に直交する。主走査方向におけるインクジェットヘッド３０Ｋ，３０Ｍ，３０Ｙ，３０Ｃの配列順序は、図１及び図２とは異なる順序としてもよい。これらの配列順序は、諸条件を考慮して適宜決定される。台座部４４には、後述するナット８３が設けられる。キャリッジ４０では、取付面４５（図３参照）は、ベース部４１の上面４２より鉛直方向の上側とされる。取付面４５は、ナット８３が設けられる台座部４４の面である。取付面４５は、水平面とされる。２個の連結部４６は、後述する２本のガイドレール５８に対応させ、ベース部４１の主走査方向の第一側及び第二側の両端部に設けられる。
【００２１】
支持部５０は、キャリッジ４０と移動部７０を接続する。支持部５０は、本体部５１と、ガイド部５７を備える。本体部５１は、壁部５２と、締結部５５と、設置部５６を含む。本体部５１では、壁部５２と締結部５５と設置部５６が一体的に形成される。壁部５２は、鉛直方向に沿った壁状の本体部５１の部分である。実施形態では、壁部５２の搬送方向の下流側の面を、「第一壁面５３」といい、壁部５２の搬送方向の上流側の面を、「第二壁面５４」という。締結部５５は、本体部５１の鉛直方向の上端部と下端部の間となる鉛直方向の所定の位置で、第一壁面５３から搬送方向の下流側に突出する本体部５１の部分である。本体部５１は、締結部５５で後述する移動部７０のタイミングベルト７３に接続される。設置部５６は、本体部５１の鉛直方向の上端部に設けられ、搬送方向の上流側に突出する本体部５１の部分である。設置部５６の鉛直方向の上側の面（本体部５１の上端面）は、水平面を含む。
【００２２】
ガイド部５７は、キャリッジ４０の鉛直方向への移動をガイドする。即ち、ガイド部５７は、前述の移動をガイドするガイド機構である。ガイド部５７は、本体部５１に設けられる。ガイド部５７は、本体部５１に設けられた状態でキャリッジ４０と接続される。インクジェット記録装置１０では、ガイド部５７は、同様の２個の直動機構を備える構成とされる。インクジェット記録装置１０では、ガイド部５７となる前述の直動機構は、リニアガイドとされる。支持部５０では、ガイド部５７としての２個の直動機構は、第二壁面５４の主走査方向の第一側と第二側に設けられる。即ち、第二壁面５４の主走査方向の第一側及び第二側の両端部では、ガイドレール５８が鉛直方向に沿った状態で設けられる。２個のブロック５９は、キャリッジ４０のベース部４１に設けられた２個の連結部４６と接続される。主走査方向の第一側と第二側でブロック５９は、ガイドレール５８と係合した状態でガイドレール５８の上を鉛直方向に移動する。ガイド部５７としては、公知のリニアガイドを採用することができる。そのため、ガイド部５７となるリニアガイドの構造等に関する説明は、省略する。
【００２３】
メインタンク６０Ｋは、ブラックインクを貯留する。供給流路６１Ｋは、メインタンク６０Ｋとサブタンク６２Ｋを接続する。サブタンク６２Ｋは、キャリッジ４０のベース部４１上でインクジェットヘッド３０Ｋの上方に設けられる。即ち、サブタンク６２Ｋは、ベース部４１上でインクジェットヘッド３０Ｋの真上に設けられる。サブタンク６２Ｋは、インクジェットヘッド３０Ｋに供給されるブラックインクを副次的に貯留する。接続流路６３Ｋは、サブタンク６２Ｋとインクジェットヘッド３０Ｋを接続する。サブタンク６２Ｋをインクジェットヘッド３０Ｋの上方（真上）に設けることで、接続流路６３Ｋの流路長を短くすることができる。
【００２４】
メインタンク６０Ｍは、マゼンタインクを貯留する。供給流路６１Ｍは、メインタンク６０Ｍとサブタンク６２Ｍを接続する。サブタンク６２Ｍは、キャリッジ４０のベース部４１上でインクジェットヘッド３０Ｍの上方に設けられる。即ち、サブタンク６２Ｍは、ベース部４１上でインクジェットヘッド３０Ｍの真上に設けられる。サブタンク６２Ｍは、インクジェットヘッド３０Ｍに供給されるマゼンタインクを副次的に貯留する。接続流路６３Ｍは、サブタンク６２Ｍとインクジェットヘッド３０Ｍを接続する。サブタンク６２Ｍをインクジェットヘッド３０Ｍの上方（真上）に設けることで、接続流路６３Ｍの流路長を短くすることができる。
【００２５】
メインタンク６０Ｙは、イエローインクを貯留する。供給流路６１Ｙは、メインタンク６０Ｙとサブタンク６２Ｙを接続する。サブタンク６２Ｙは、キャリッジ４０のベース部４１上でインクジェットヘッド３０Ｙの上方に設けられる。即ち、サブタンク６２Ｙは、ベース部４１上でインクジェットヘッド３０Ｙの真上に設けられる。サブタンク６２Ｙは、インクジェットヘッド３０Ｙに供給されるイエローインクを副次的に貯留する。接続流路６３Ｙは、サブタンク６２Ｙとインクジェットヘッド３０Ｙを接続する。サブタンク６２Ｙをインクジェットヘッド３０Ｙの上方（真上）に設けることで、接続流路６３Ｙの流路長を短くすることができる。
【００２６】
メインタンク６０Ｃは、シアンインクを貯留する。供給流路６１Ｃは、メインタンク６０Ｃとサブタンク６２Ｃを接続する。サブタンク６２Ｃは、キャリッジ４０のベース部４１上でインクジェットヘッド３０Ｃの上方に設けられる。即ち、サブタンク６２Ｃは、ベース部４１上でインクジェットヘッド３０Ｃの真上に設けられる。サブタンク６２Ｃは、インクジェットヘッド３０Ｃに供給されるシアンインクを副次的に貯留する。接続流路６３Ｃは、サブタンク６２Ｃとインクジェットヘッド３０Ｃを接続する。サブタンク６２Ｃをインクジェットヘッド３０Ｃの上方（真上）に設けることで、接続流路６３Ｃの流路長を短くすることができる。
【００２７】
メインタンク６０Ｋ，６０Ｍ，６０Ｙ，６０Ｃに貯留された各色のインクは、メインタンク６０Ｋ，６０Ｍ，６０Ｙ，６０Ｃから流出し、供給流路６１Ｋ，６１Ｍ，６１Ｙ，６１Ｃのうちの対応する色の供給流路を流れてサブタンク６２Ｋ，６２Ｍ，６２Ｙ，６２Ｃに供給される。サブタンク６２Ｋ，６２Ｍ，６２Ｙ，６２Ｃに供給された各色のインクは、接続流路６３Ｋ，６３Ｍ，６３Ｙ，６３Ｃのうちの対応する色の接続流路を流れてインクジェットヘッド３０Ｋ，３０Ｍ，３０Ｙ，３０Ｃに供給される。図１及び図２では、供給流路６１Ｋ，６１Ｍ，６１Ｙ，６１Ｃは、簡略化された状態で図示されている。供給流路６１Ｋ，６１Ｍ，６１Ｙ，６１Ｃは、後述するキャリッジ４０の主走査方向及び鉛直方向への各移動に対応可能な状態で設けられる。
【００２８】
移動部７０は、支持部５０を介して接続されたキャリッジ４０を主走査方向に往復移動させる。換言すれば、移動部７０は、キャリッジ４０と支持部５０を主走査方向に往復移動させる。即ち、移動部７０は、前述の往復移動を実施する駆動機構である。移動部７０は、支持部５０の搬送方向の下流側に設けられる。移動部７０は、２個のプーリ７１，７２と、タイミングベルト７３と、第二モータ７４を備える。プーリ７１は、搬送部２０を基準として、主走査方向の第一側に設けられる。プーリ７２は、搬送部２０を基準として、主走査方向の第二側に設けられる。プーリ７２は、回転自在に支持される。タイミングベルト７３は、張力が作用した状態でプーリ７１，７２に架け渡される。第二モータ７４は、プーリ７１に連結される。第二モータ７４は、プーリ７１を回転させる。第二モータ７４としては、例えば、エンコーダ付きのサーボモータが採用される。図１及び図２で、プーリ７１の内部に示す矢印は、プーリ７１の回転方向を示す。キャリッジ４０は、支持部５０を介してタイミングベルト７３に取り付けられる。
【００２９】
昇降部８０は、キャリッジ４０を鉛直方向に移動させる。昇降部８０は、キャリッジ４０のベース部４１より上方となる状態で支持部５０に設けられる。インクジェット記録装置１０では、昇降部８０は、支持部５０の設置部５６に設けられる。昇降部８０は、昇降軸部８１と、第三モータ８４を備える。昇降部８０は、昇降軸部８１が主走査方向においてサブタンク６２Ｍとサブタンク６２Ｙの間に配置された状態でキャリッジ４０と接続される。昇降軸部８１は、主走査方向の第一側でサブタンク６２Ｍと隣り合い、主走査方向の第二側でサブタンク６２Ｙと隣り合う。昇降軸部８１は、鉛直方向に沿った状態とされる。インクジェット記録装置１０では、昇降軸部８１は、ボールねじとされる。従って、昇降軸部８１は、ねじ軸８２と、ナット８３を備える。即ち、昇降部８０が支持部５０に設けられた状態で、昇降軸部８１は、ねじ軸８２とナット８３が主走査方向においてサブタンク６２Ｍとサブタンク６２Ｙの間に設けられ、且つねじ軸８２が鉛直方向に沿った状態とされる。インクジェット記録装置１０では、上述した通り、サブタンク６２Ｍは、インクジェットヘッド３０Ｍの上方に設けられ、サブタンク６２Ｙは、インクジェットヘッド３０Ｙの上方に設けられる。従って、主走査方向においてサブタンク６２Ｍとサブタンク６２Ｙの間は、主走査方向においてインクジェットヘッド３０Ｍとインクジェットヘッド３０Ｙの間でもある。
【００３０】
ナット８３は、キャリッジ４０の台座部４４に設けられる。ナット８３は、台座部４４の取付面４５（図３参照）に固定される。これに伴い、昇降部８０は、キャリッジ４０と接続される。上記では説明を省略したが、台座部４４には、ナット８３が取付面４５に固定された状態でナット８３のねじ孔と連続する第一孔部が形成される。第一孔部は、取付面４５を含む搬送方向に沿った台座部４４の部分を鉛直方向に貫通する。図１〜図３では、第一孔部は、不図示とされている。更に、キャリッジ４０のベース部４１には、第一孔部と同軸の第二孔部４３が形成される。第二孔部４３は、ベース部４１を鉛直方向に貫通する。第一孔部と第二孔部４３は、ねじ軸８２の外径より大きな直径の貫通孔とされる。第一孔部には、ねじ軸８２が挿入される。昇降部８０によるキャリッジ４０の上昇に伴い、鉛直方向の下側に第一孔部を通過したねじ軸８２は、その後、第二孔部４３に通される（図２参照）。但し、ねじ軸８２は、次の状態で鉛直方向の下側に第二孔部４３を通過しない寸法とするとよい。前述の状態は、昇降部８０によってキャリッジ４０を鉛直方向の上昇端まで上昇させた状態である。この場合、鉛直方向の下側となるねじ軸８２の先端部は、図３の「第二状態」と同様、前述の状態でキャリッジ４０のベース部４１から鉛直方向の下側に突出しない。第二孔部４３は、底を有する孔部としてもよい。昇降軸部８１では、公知のボールねじを採用することができる。そのため、昇降軸部８１となるねじ軸８２とナット８３の構造等に関する説明は、省略する。
【００３１】
第三モータ８４は、設置部５６に設けられる。第三モータ８４は、回転軸８５（図３参照）が鉛直方向の下側に突出した状態で設置部５６の鉛直方向の上側の水平面に固定される。回転軸８５は、ねじ軸８２に連結される。第三モータ８４は、ねじ軸８２を回転させる。第三モータ８４としては、エンコーダ付きのサーボモータが採用される。図１及び図２で、第三モータ８４の内部に示す矢印は、ねじ軸８２の回転方向を示す。第三モータ８４によってねじ軸８２が第一方向に回転すると、ナット８３は、鉛直方向の上側に移動する。キャリッジ４０は、ナット８３の鉛直方向の上側への移動に伴い、ナット８３と同じ量だけ鉛直方向の上側に移動する。第三モータ８４によってねじ軸８２が第二方向に回転すると、ナット８３は、鉛直方向の下側に移動する。第二方向は、前述の第一方向とは反対方向である。例えば、第一方向への回転が右回転である場合、第二方向への回転は左回転である。キャリッジ４０は、ナット８３の鉛直方向の下側への移動に伴い、ナット８３と同じ量だけ鉛直方向の下側に移動する。昇降部８０によるキャリッジ４０の鉛直方向への移動は、２個のリニアガイドによるガイド部５７によってガイドされる。
【００３２】
インクジェット記録装置１０で柄が記録媒体１５に記録される場合、昇降部８０と移動部７０と搬送部２０は、次のように動作する。先ず、インクジェット記録装置１０は、ギャップＧ１が新たに柄が記録される所定の厚みの記録媒体１５に対応した状態とされる。ギャップＧ１は、記録媒体１５の表面と吐出面３１の間隔である。ギャップＧ１は、搬送面２４と吐出面３１の間隔から記録媒体１５の厚みを差し引いた差分に対応する。例えば、搬送面２４と吐出面３１の間隔がＧ２で記録媒体１５の厚みがＴ１である場合（図１及び図３の「第一状態」参照）、ギャップＧ１は、「間隔Ｇ２−厚みＴ１」である。搬送面２４と吐出面３１の間隔がＧ３で記録媒体１５の厚みがＴ２である場合（図２及び図３の「第二状態」参照）、ギャップＧ１は、「間隔Ｇ３−厚みＴ２」である。ギャップＧ１は、記録媒体１５に記録された柄の記録品質に影響を及ぼす。例えば、ギャップＧ１は、インク種に応じて適宜設定される。この他、例えば、ギャップＧ１は、記録媒体１５の材質及び／又は表面状態に応じて適宜設定される。インクジェット記録装置１０では、昇降部８０で第三モータ８４の駆動が開始され、キャリッジ４０が鉛直方向に移動される。第三モータ８４の駆動は、次の位置にキャリッジ４０が移動するまで継続される。前述の位置は、記録媒体１５の表面と吐出面３１の間隔がギャップＧ１となる鉛直方向の位置である。
【００３３】
例えば、厚みＴ１の記録媒体１５に対応した状態のインクジェット記録装置１０（図１及び図３の「第一状態」参照）で、新たに厚みＴ２の記録媒体１５に柄が記録されるとする。インクジェット記録装置１０では、昇降部８０で第三モータ８４の駆動が開始され、キャリッジ４０が鉛直方向の上側に移動される。第三モータ８４の駆動は、厚みＴ２の記録媒体１５の表面と吐出面３１の間隔がギャップＧ１となる鉛直方向の位置にキャリッジ４０が移動するまで継続される（図２及び図３の「第二状態」参照）。厚みＴ２の記録媒体１５に対応した状態のインクジェット記録装置１０（図２及び図３の「第二状態」参照）で、新たに厚みＴ１の記録媒体１５に柄が記録されるとする。インクジェット記録装置１０では、昇降部８０で第三モータ８４の駆動が開始され、キャリッジ４０が鉛直方向の下側に移動される。第三モータ８４の駆動は、厚みＴ１の記録媒体１５の表面と吐出面３１の間隔がギャップＧ１となる鉛直方向の位置にキャリッジ４０が移動するまで継続される（図１及び図３の「第一状態」参照）。
【００３４】
その後、インクジェット記録装置１０では、柄の記録が開始される。この場合、移動部７０では、プーリ７１に連結された第二モータ７４が時計回りと反時計回りに往復して回転する。第二モータ７４の回転に伴い、プーリ７１が左右両側に往復して回転する。第二モータ７４が所定の方向に回転することでプーリ７１が左回転すると、タイミングベルト７３も左回転する。プーリ７２は、左回転するタイミングベルト７３に従動して回転する。これに伴い、キャリッジ４０は、主走査方向の第二側から第一側に移動する。キャリッジ４０が、主走査方向の第一側の移動端に到達すると、第二モータ７４の回転方向は反転し、プーリ７１は、右回転する。プーリ７１が右回転すると、タイミングベルト７３も右回転する。プーリ７２は、右回転するタイミングベルト７３に従動して回転する。これに伴い、キャリッジ４０は、主走査方向の第一側から第二側に移動する。キャリッジ４０が、主走査方向の第二側の移動端に到達すると、第二モータ７４の回転方向は再度反転し、プーリ７１は、再度左回転する。
【００３５】
搬送部２０は、上述したキャリッジ４０の主走査方向への往復移動に対応させて記録媒体１５を搬送方向に搬送する。即ち、搬送部２０による記録媒体１５の搬送は、キャリッジ４０の主走査方向への往復移動に応じて間欠的に行われる。各色のインクは、キャリッジ４０が主走査方向に移動している所定のタイミングで、インクジェットヘッド３０Ｋ，３０Ｍ，３０Ｙ，３０Ｃに形成された各ノズルから、記録媒体１５に向けて吐出される。インクジェットヘッド３０Ｋ，３０Ｍ，３０Ｙ，３０Ｃの各ノズルから吐出された各色のインクは、記録媒体１５の表面に着弾する。着弾した各色のインクによって記録媒体１５に柄が記録される。移動部７０は、柄の記録が終了するまで動作する。従って、キャリッジ４０の主走査方向への往復移動は、柄の記録が終了するまで繰り返される。搬送部２０は、柄の記録が終了した後、所定のタイミングで停止する。搬送部２０の停止に伴い、搬送方向への記録媒体１５の搬送も終了する。
【００３６】
＜実施形態の効果＞
実施形態によれば、次のような効果を得ることができる。
【００３７】
（１）インクジェット記録装置１０では、インクジェットヘッド３０Ｋ，３０Ｍ，３０Ｙ，３０Ｃがキャリッジ４０のベース部４１に搭載される（図１及び図２参照）。サブタンク６２Ｋ，６２Ｍ，６２Ｙ，６２Ｃは、キャリッジ４０のベース部４１上でインクジェットヘッド３０Ｋ，３０Ｍ，３０Ｙ，３０Ｃのうちの対応する色のインクジェットヘッドの上方に設けられる。キャリッジ４０は、支持部５０を介して移動部７０と接続される。支持部５０には、昇降部８０が設けられる。昇降部８０は、キャリッジ４０のベース部４１より上方に設けられる。昇降部８０は、キャリッジ４０を鉛直方向に移動させる。昇降部８０は、昇降軸部８１を備える。昇降軸部８１は、鉛直方向に沿った状態で設けられる。昇降部８０は、昇降軸部８１が主走査方向においてサブタンク６２Ｍとサブタンク６２Ｙの間に配置された状態でキャリッジ４０と接続される。そのため、サブタンク６２Ｋ，６２Ｍ，６２Ｙ，６２Ｃと昇降部８０を、搬送方向に沿った方向にコンパクトに配置することができる。キャリッジ４０を搬送方向に沿った方向に小型化することができる。搬送方向に沿った方向は、主走査方向に直交する方向であり、「副走査方向」とも称される。
【００３８】
（２）支持部５０には、ガイド部５７が設けられる（図１及び図２参照）。ガイド部５７は、２個の直動機構を備える構成とされる。前述の直動機構は、リニアガイドとされる。支持部５０では、第二壁面５４の主走査方向の第一側及び第二側の両端部に、ガイドレール５８が鉛直方向に沿った状態で設けられる。２個のブロック５９は、主走査方向の第一側及び第二側のガイドレール５８に対応させ、キャリッジ４０のベース部４１の主走査方向の第一側及び第二側の両端部に設けられる。主走査方向の第一側と第二側でブロック５９は、ガイドレール５８と係合した状態でガイドレール５８の上を鉛直方向に移動する。そのため、昇降部８０によるキャリッジ４０の鉛直方向への移動をスムーズに行うことができる。
【００３９】
＜変形例＞
実施形態は、次のようにすることもできる。以下に示す変形例のうちの幾つかの構成は、適宜組み合わせて採用することもできる。以下では、上記とは異なる点を説明することとし、同様の点についての説明は、適宜省略する。
【００４０】
（１）インクジェット記録装置１０では、サブタンク６２Ｋ，６２Ｍ，６２Ｙ，６２Ｃは、キャリッジ４０のベース部４１上でインクジェットヘッド３０Ｋ，３０Ｍ，３０Ｙ，３０Ｃのうちの対応する色のインクジェットヘッドの上方（真上）に設けられる（図１及び図２参照）。サブタンク６２Ｋ，６２Ｍ，６２Ｙ，６２Ｃは、キャリッジ４０のベース部４１上でインクジェットヘッド３０Ｋ，３０Ｍ，３０Ｙ，３０Ｃのうちの対応する色のインクジェットヘッドより上方に設けられていればよい。インクジェットヘッド３０Ｋ，３０Ｍ，３０Ｙ，３０Ｃに対するサブタンク６２Ｋ，６２Ｍ，６２Ｙ，６２Ｃの配置は、諸条件を考慮して適宜決定される。
【００４１】
（２）インクジェット記録装置１０では、昇降部８０は、昇降軸部８１と、第三モータ８４を備える（図１〜図３参照）。昇降軸部８１は、ねじ軸８２とナット８３を備えるボールねじとされる。昇降部は、キャリッジを鉛直方向に移動できる構成であればよい。例えば、昇降部は、油圧シリンダ又はエアシリンダのようなアクチュエータとしてもよい。この場合、油圧シリンダ又はエアシリンダのロッドが昇降軸部となる。昇降部としての油圧シリンダ又はエアシリンダは、ロッドの突出方向が鉛直方向の下側となる状態で支持部５０に設けられる。即ち、油圧シリンダ又はエアシリンダは、前述した状態で設置部５６の鉛直方向の上側の水平面に固定される。油圧シリンダ又はエアシリンダは、ロッドが主走査方向においてサブタンク６２Ｍとサブタンク６２Ｙの間に配置された状態でキャリッジと接続される。ロッドは、鉛直方向に沿った状態とされ、主走査方向の第一側でサブタンク６２Ｍと隣り合い、主走査方向の第二側でサブタンク６２Ｙと隣り合う。ロッドは、先端部でキャリッジの台座部と接続される。台座部では、第一孔部は、省略してもよい。昇降部を油圧シリンダ又はエアシリンダとした場合、キャリッジは、ベース部と、２個の連結部４６を備え、台座部４４に対応する構成は、省略してもよい。ベース部では、第二孔部４３は、省略してもよい。ロッドの先端部は、直接、ベース部と接続される。支持部のガイド部も、キャリッジ４０の鉛直方向への移動をガイドできる構成であればよく、ガイド部５７のリニアガイドとは異なる構成としてもよい。例えば、ガイド部は、シャフトとリニアブッシュによる構成としてもよい。シャフトは、ガイドレール５８に相当し、リニアブッシュは、ブロック５９に相当する。
【００４２】
（３）インクジェット記録装置１０では、昇降部８０は、昇降軸部８１が主走査方向においてサブタンク６２Ｍとサブタンク６２Ｙの間に配置された状態でキャリッジ４０と接続される（図１及び図２参照）。昇降部８０は、昇降軸部８１が主走査方向においてサブタンク６２Ｋとサブタンク６２Ｍの間又はサブタンク６２Ｙとサブタンク６２Ｃの間に配置された状態でキャリッジと接続されてもよい。この場合、キャリッジでは、台座部４４は、ベース部に対し、昇降軸部８１の主走査方向の位置に対応させて設けられる。ベース部では、第二孔部４３が昇降軸部８１の主走査方向の位置に対応させて形成される。但し、昇降軸部８１を主走査方向においてサブタンク６２Ｍとサブタンク６２Ｙの間に配置させた場合、移動部７０によって主走査方向に往復移動される移動体を、主走査方向の第一側と第二側で対称な構造とし、主走査方向の第一側と第二側で均等な重量バランスとすることができる。移動体の主走査方向への往復移動をスムーズに行うことができる。前述の移動体は、インクジェットヘッド３０Ｋ，３０Ｍ，３０Ｙ，３０Ｃとキャリッジ４０と支持部５０とサブタンク６２Ｋ，６２Ｍ，６２Ｙ，６２Ｃと接続流路６３Ｋ，６３Ｍ，６３Ｙ，６３Ｃと昇降部８０を含む。
【００４３】
（４）インクジェット記録装置１０には、搬送部２０が設けられ、搬送部２０によって記録媒体１５が搬送方向に搬送される（図１及び図２参照）。搬送方向は、主走査方向に直交する方向に沿った方向である。主走査方向に直交する方向において、インクジェットヘッド３０Ｋ，３０Ｍ，３０Ｙ，３０Ｃに対する記録媒体の移動は、相対的に行われればよい。即ち、インクジェット記録装置では、キャリッジ４０を主走査方向に直交する方向に移動させてもよい。この場合、インクジェット記録装置は、テーブル状の載置部を備え、記録媒体は、このテーブル状の載置部の上面に載せ置かれる。搬送部２０は、省略される。キャリッジ４０を主走査方向に直交する方向に移動させる場合、インクジェット記録装置は、第一移動部と、第二移動部を備える。第一移動部は、上述した移動部７０に対応する移動部である。第二移動部は、キャリッジ４０を主走査方向に直交する方向に移動する移動部である。第二移動部は、第一移動部によるキャリッジ４０の往復移動に応じてキャリッジ４０を主走査方向に直交する方向の一方側から他方側に間欠的に移動する。第二移動部は、キャリッジ４０と共に、支持部５０と第一移動部を同一方向に移動する。このような構成は、例えば、記録媒体が短尺である場合に採用することができる。
【００４４】
（５）インクジェット記録装置１０では、昇降部８０は、１個の昇降軸部８１を備える（図１及び図２参照）。昇降部は、複数の昇降軸部を備える構成としてもよい。複数の昇降軸部を備える昇降部は、次のような場合に採用される。前述の場合としては、キャリッジ４０が主走査方向に幅広となる場合が例示される。キャリッジ４０に搭載するインクジェットヘッドの数が増加し又は各色のインクジェットヘッドが大型化する場合、キャリッジ４０は、主走査方向に幅広となる。複数の昇降軸部を備える昇降部が設けられたインクジェット記録装置１０について、図４及び図５を参照して説明する。但し、図４及び図５では、搬送部２０と移動部７０の図示は、省略されている。図４及び図５に基づく説明では、図１及び図２に示すインクジェット記録装置１０との対応を明らかにするため、共通する又は対応する各部に対する符号は、上記同様とする。図５に基づく説明では、図４に基づく説明との対応を明らかにするため、共通する又は対応する各部に対する符号は、図４で用いる符号と同様とする。
【００４５】
図４及び図５に示すインクジェット記録装置１０では、インクジェットヘッドの数を６個としている。図４及び図５に示すインクジェット記録装置１０が備えるインクジェットヘッドは、上記同様のインクジェットヘッド３０Ｋ，３０Ｍ，３０Ｙ，３０Ｃと、インクジェットヘッド３０ＬＭ，３０ＬＣとする。従って、図４及び図５に示すインクジェット記録装置１０は、更に、メインタンク６０ＬＭ，６０ＬＣと、供給流路６１ＬＭ，６１ＬＣと、サブタンク６２ＬＭ，６２ＬＣと、接続流路６３ＬＭ，６３ＬＣを備える。
【００４６】
インクジェットヘッド３０ＬＭは、ライトマゼンタインクを吐出するインクジェットヘッドである。インクジェットヘッド３０ＬＣは、ライトシアンインクを吐出するインクジェットヘッドである。図４及び図５に示すインクジェット記録装置１０では、主走査方向におけるインクジェットヘッド３０Ｋ，３０Ｍ，３０Ｙ，３０Ｃ，３０ＬＭ，３０ＬＣの配列順序は、主走査方向の第一側から第二側に向けて、インクジェットヘッド３０Ｋ，３０Ｍ，３０Ｙ，３０Ｃ，３０ＬＭ，３０ＬＣの順序とされている。インクジェットヘッド３０Ｋ，３０Ｍ，３０Ｙ，３０Ｃ，３０ＬＭ，３０ＬＣの配列順序は、図４及び図５とは異なる順序としてもよい。インクジェットヘッド３０ＬＭ，３０ＬＣは、インクジェットヘッド３０Ｋ，３０Ｍ，３０Ｙ，３０Ｃと同様の構成とされる。
【００４７】
メインタンク６０ＬＭは、ライトマゼンタインクを貯留する。供給流路６１ＬＭは、メインタンク６０ＬＭとサブタンク６２ＬＭを接続する。サブタンク６２ＬＭは、キャリッジ４０のベース部４１上でインクジェットヘッド３０ＬＭの上方に設けられる。即ち、サブタンク６２ＬＭは、ベース部４１上でインクジェットヘッド３０ＬＭの真上に設けられる。サブタンク６２ＬＭは、インクジェットヘッド３０ＬＭに供給されるライトマゼンタインクを副次的に貯留する。接続流路６３ＬＭは、サブタンク６２ＬＭとインクジェットヘッド３０ＬＭを接続する。サブタンク６２ＬＭをインクジェットヘッド３０ＬＭの上方（真上）に設けることで、接続流路６３ＬＭの流路長を短くすることができる。
【００４８】
メインタンク６０ＬＣは、ライトシアンインクを貯留する。供給流路６１ＬＣは、メインタンク６０ＬＣとサブタンク６２ＬＣを接続する。サブタンク６２ＬＣは、キャリッジ４０のベース部４１上でインクジェットヘッド３０ＬＣの上方に設けられる。即ち、サブタンク６２ＬＣは、ベース部４１上でインクジェットヘッド３０ＬＣの真上に設けられる。サブタンク６２ＬＣは、インクジェットヘッド３０ＬＣに供給されるライトシアンインクを副次的に貯留する。接続流路６３ＬＣは、サブタンク６２ＬＣとインクジェットヘッド３０ＬＣを接続する。サブタンク６２ＬＣをインクジェットヘッド３０ＬＣの上方（真上）に設けることで、接続流路６３ＬＣの流路長を短くすることができる。
【００４９】
メインタンク６０ＬＭ，６０ＬＣに貯留された各色のインクは、メインタンク６０ＬＭ，６０ＬＣから流出し、供給流路６１ＬＭ，６１ＬＣのうちの対応する色の供給流路を流れてサブタンク６２ＬＭ，６２ＬＣに供給される。サブタンク６２ＬＭ，６２ＬＣに供給された各色のインクは、接続流路６３ＬＭ，６３ＬＣのうちの対応する色の接続流路を流れてインクジェットヘッド３０ＬＭ，３０ＬＣに供給される。図４及び図５に示すインクジェット記録装置１０でも、供給流路６１Ｋ，６１Ｍ，６１Ｙ，６１Ｃ，６１ＬＭ，６１ＬＣは、上記同様、キャリッジ４０の主走査方向及び鉛直方向への各移動に対応可能な状態で設けられる。
【００５０】
インク色を６色とする場合、インク色の組み合わせは、ブラックとマゼンタとイエローとシアンとライトマゼンタとライトシアンとは異なる組み合わせとしてもよい。例えば、ブラックとマゼンタとイエローとシアンの他に採用するインク色は、ライトマゼンタとライトシアンとは異なる色としてもよい。柄の記録には、クリアインクを用いてもよい。前述の６色以外の色のインク又はクリアインクが採用される場合、インクジェット記録装置は、採用される色に対応するインクジェットヘッドとメインタンクと供給流路とサブタンクと接続流路を備える。
【００５１】
図４に示すインクジェット記録装置１０では、昇降部９０は、２個の昇降軸部９２，９３と、第四モータ９４と、第五モータ９５を備える。昇降軸部９２，９３は、昇降軸部８１と同様の構成とされる。即ち、昇降軸部９２，９３は、ボールねじとされ、ねじ軸８２と、ナット８３を備える。第四モータ９４と第五モータ９５は、第三モータ８４に対応するモータである。図４に示すインクジェット記録装置１０では、キャリッジ４０には、２個の台座部４７，４８が設けられる。台座部４７，４８は、台座部４４に対応し、台座部４４と同様の構成とされる。２個の台座部４７，４８のうち、台座部４７は、昇降軸部９２に対応する位置に設けられ、台座部４８は、昇降軸部９３に対応する位置に設けられる。昇降軸部９２のナット８３は、台座部４７に設けられ、昇降軸部９３のナット８３は、台座部４８に設けられる。
【００５２】
昇降軸部９２は、主走査方向の第一側でサブタンク６２Ｋと隣り合い、主走査方向の第二側でサブタンク６２Ｍと隣り合う。昇降軸部９２は、鉛直方向に沿った状態とされる。即ち、昇降部９０が支持部５０に設けられた状態で、昇降軸部９２は、ねじ軸８２とナット８３が主走査方向においてサブタンク６２Ｋとサブタンク６２Ｍの間に設けられ、且つねじ軸８２が鉛直方向に沿った状態とされる。昇降軸部９３は、主走査方向の第一側でサブタンク６２ＬＭと隣り合い、主走査方向の第二側でサブタンク６２ＬＣと隣り合う。昇降軸部９３は、鉛直方向に沿った状態とされる。即ち、昇降部９０が支持部５０に設けられた状態で、昇降軸部９３は、ねじ軸８２とナット８３が主走査方向においてサブタンク６２ＬＭとサブタンク６２ＬＣの間に設けられ、且つねじ軸８２が鉛直方向に沿った状態とされる。昇降軸部９２，９３は、搬送方向の位置が一致した状態で設けられる。即ち、昇降軸部９２，９３は、サブタンク６２Ｍ，６２Ｙ，６２Ｃ，６２ＬＭを挟み主走査方向に隣り合った状態で設けられる。
【００５３】
昇降部９０では、第四モータ９４は、昇降軸部９２に対して設けられ、第五モータ９５は、昇降軸部９３に対して設けられる。第四モータ９４は、回転軸８５が昇降軸部９２のねじ軸８２に連結された状態でこのねじ軸８２を回転させる。第五モータ９５は、回転軸８５が昇降軸部９３のねじ軸８２に連結された状態でこのねじ軸８２を回転させる。第四モータ９４と第五モータ９５は、同期が取られた状態で駆動される。これに伴い、昇降軸部９２，９３の各ねじ軸８２は、同じタイミングで同一方向に同一速度で同一量だけ回転する。図４で、第四モータ９４と第五モータ９５の内部に示す矢印は、ねじ軸８２の回転方向を示す。図４では、第四モータ９４と第五モータ９５の各回転軸８５は、不図示とされている。
【００５４】
図４に示すインクジェット記録装置１０では、図１及び図２に示すインクジェット記録装置１０と同様、不図示の移動部７０によって主走査方向に往復移動される移動体を、主走査方向の第一側と第二側で対称な構造とし、主走査方向の第一側と第二側で均等な重量バランスとすることができる。前述の移動体は、インクジェットヘッド３０Ｋ，３０Ｍ，３０Ｙ，３０Ｃ，３０ＬＭ，３０ＬＣとキャリッジ４０と支持部５０とサブタンク６２Ｋ，６２Ｍ，６２Ｙ，６２Ｃ，６２ＬＭ，６２ＬＣと接続流路６３Ｋ，６３Ｍ，６３Ｙ，６３Ｃ，６３ＬＭ，６３ＬＣと昇降部９０を含む。
【００５５】
昇降部が複数の昇降軸部を備える場合、所定の伝達機構によって一のねじ軸８２の回転を他のねじ軸８２に伝達させてもよい。例えば、図５に示すインクジェット記録装置１０のように、昇降部９１が２個の昇降軸部９２，９３を備える場合、昇降部９１には、２個のプーリ９６，９７とタイミングベルト９８が設けられる。図５に示すインクジェット記録装置１０では、昇降軸部９２，９３の各ねじ軸８２は、鉛直方向の上側となる端部が設置部５６の鉛直方向の上側に突出した状態とされる。昇降軸部９２，９３の各ねじ軸８２は、例えば、軸受９９を介して回転自在に支持される。軸受９９は、設置部５６に設けられる。
【００５６】
プーリ９６，９７は、設置部５６から鉛直方向の上側に突出したねじ軸８２の端部にそれぞれ取り付けられる。タイミングベルト９８は、張力が作用した状態でプーリ９６，９７に架け渡される。第三モータ８４は、昇降軸部９２に対して設けられる。第三モータ８４は、回転軸８５が昇降軸部９２のねじ軸８２に連結された状態でこのねじ軸８２を回転させる。図５で、第三モータ８４の内部に示す矢印は、ねじ軸８２の回転方向を示す。
【００５７】
第三モータ８４によって昇降軸部９２のねじ軸８２が第一方向に回転すると、プーリ９６は、第一方向に回転し、タイミングベルト９８も、第一方向に回転する。プーリ９７は、第一方向に回転するタイミングベルト９８に従動して回転する。これに伴い、昇降軸部９３のねじ軸８２は、昇降軸部９２のねじ軸８２と同じタイミングで第一方向に同一速度で同一量だけ回転する。第三モータ８４によって昇降軸部９２のねじ軸８２が第二方向に回転すると、プーリ９６は、第二方向に回転し、タイミングベルト９８も、第二方向に回転する。プーリ９７は、第二方向に回転するタイミングベルト９８に従動して回転する。これに伴い、昇降軸部９３のねじ軸８２は、昇降軸部９２のねじ軸８２と同じタイミングで、第二方向に同一速度で同一量だけ回転する。
【００５８】
上述した通り、図４に示すインクジェット記録装置１０では、昇降軸部９３のねじ軸８２は、第五モータ９５によって回転される。これに対し、図５に示すインクジェット記録装置１０では、昇降軸部９３のねじ軸８２は、プーリ９６，９７とタイミングベルト９８による伝達機構を介して回転される。図４及び図５に示すインクジェット記録装置１０は、この点で相違するが、この他の構成は、同様とされる。従って、図５に示すインクジェット記録装置１０に関するこの他の説明は、省略する。
【００５９】
昇降部に設ける昇降軸部は、３個以上としてもよい。例えば、図４及び図５に示すインクジェット記録装置１０と同様、キャリッジに搭載されるインクジェットヘッドが６個である場合、３個目の昇降軸部は、例えば、主走査方向の中心に配置される２個のサブタンクの間に設けられる。キャリッジには、３個目の昇降軸部に対応する台座部が設けられ、この昇降軸部のナットが、上記同様、前述の台座部に設けられる。前述の２個のサブタンクは、図４及び図５に基づけば、サブタンク６２Ｙ，６２Ｃである。３個目の昇降軸部を備える昇降部では、図４に示すインクジェット記録装置１０と同様、各昇降軸部に対してモータが設けられる。これとは異なり、３個目の昇降軸部を備える昇降部には、図５に示すインクジェット記録装置１０と同様、プーリとタイミングベルトによる伝達機構を設けてもよい。この場合、モータの駆動に伴う一のねじ軸の回転が他の２本のねじ軸に伝達されてもよい。但し、一のねじ軸の回転が他のねじ軸に伝達され、更に、この他のねじ軸の回転が、残りのねじ軸に伝達されてもよい。
【００６０】
図４及び図５に示すインクジェット記録装置１０では、サブタンク６２Ｋは、サブタンク６２Ｋ，６２Ｍ，６２Ｙ，６２Ｃ，６２ＬＭ，６２ＬＣのうち、最も主走査方向の第一側に設けられるサブタンクであり、サブタンク６２Ｍは、このサブタンク６２Ｋと主走査方向に隣り合うサブタンクである。図４及び図５に示すインクジェット記録装置１０では、サブタンク６２ＬＣは、サブタンク６２Ｋ，６２Ｍ，６２Ｙ，６２Ｃ，６２ＬＭ，６２ＬＣのうち、最も主走査方向の第二側に設けられるサブタンクであり、サブタンク６２ＬＭは、このサブタンク６２ＬＣと主走査方向に隣り合うサブタンクである。
【符号の説明】
【００６１】
１０  インクジェット記録装置、  １５  記録媒体、  ２０  搬送部
２１，２２  搬送ローラ、  ２３  無端ベルト、  ２４  搬送面、  ２５  第一モータ
３０Ｋ，３０Ｍ，３０Ｙ，３０Ｃ，３０ＬＭ，３０ＬＣ  インクジェットヘッド
３１  吐出面、  ４０  キャリッジ、  ４１  ベース部、  ４２  上面
４３  第二孔部、  ４４  台座部、  ４５  取付面、  ４６  連結部
４７，４８  台座部、  ５０  支持部、  ５１  本体部、  ５２  壁部
５３  第一壁面、  ５４  第二壁面、  ５５  締結部、  ５６  設置部
５７  ガイド部、  ５８  ガイドレール、  ５９  ブロック
６０Ｋ，６０Ｍ，６０Ｙ，６０Ｃ，６０ＬＭ，６０ＬＣ  メインタンク
６１Ｋ，６１Ｍ，６１Ｙ，６１Ｃ，６１ＬＭ，６１ＬＣ  供給流路
６２Ｋ，６２Ｍ，６２Ｙ，６２Ｃ，６２ＬＭ，６２ＬＣ  サブタンク
６３Ｋ，６３Ｍ，６３Ｙ，６３Ｃ，６３ＬＭ，６３ＬＣ  接続流路、  ７０  移動部
７１，７２  プーリ、  ７３  タイミングベルト、  ７４  第二モータ
８０  昇降部、  ８１  昇降軸部、  ８２  ねじ軸、  ８３  ナット
８４  第三モータ、  ８５  回転軸、  ９０，９１  昇降部、  ９２，９３  昇降軸部
９４  第四モータ、  ９５  第五モータ、  ９６，９７  プーリ
９８  タイミングベルト、  ９９  軸受、  Ｇ１  ギャップ、  Ｇ２，Ｇ３  間隔
Ｔ１，Ｔ２  厚み
【図１】
2018103434.tif 000003
【図２】
2018103434.tif 000004
【図３】
2018103434.tif 000005
【図４】
2018103434.tif 000006
【図５】
2018103434.tif 000007